(57)【要約】【課題】  伸縮式のリード装置において、リードが長い状態で、その先端を犬の首輪から外して、操作手段を巻取リールが回転可能な状態に操作すると、ばねの付勢力により巻取リールが急速に回転してリードを巻き取るため、その先端に設けられていて、ある程度の重さの有る金属製の引掛金具が、リードと共に急速にケース側に移動してきて、操作者の手や顔等に当たって危険である。【解決手段】  そこで本発明では、長尺紐状体６を巻き取り方向にばね８により付勢した巻取リール２をケース１に設けると共に、巻取リールの回転を不能とする操作手段１１を設けたリード装置において、巻取リールに隣接して液体を充填した密閉容器１２を設けると共に、この密閉容器内に羽根車１３を回転可能に設置し、この羽根車を巻取リールに連動するように結合したペット用の伸縮式リード装置を提案する。【選択図】      図２
2006081403.tif 000002
【特許請求の範囲】
【請求項１】
長尺紐状体を巻き取り方向にばねにより付勢した巻取リールをケースに設けると共に、巻取リールの回転を不能とする操作手段を設けたリード装置において、巻取リールに隣接して液体を充填した密閉容器を設けると共に、この密閉容器内に羽根車を回転可能に設置し、この羽根車を巻取リールに連動するように結合したことを特徴とするペット用の伸縮式リード装置
【請求項２】
密閉容器をケースの外側に構成すると共に、少なくとも一部を透明又は半透明に構成したことを特徴とする請求項１に記載のペット用の伸縮式リード装置
【請求項３】
巻取リールと羽根車との結合を磁石を介して行う構成としたことを特徴とする請求項１又は２に記載のペット用の伸縮式リード装置
【発明の詳細な説明】
【技術分野】
【０００１】
本発明は、犬等のペットを散歩させる際等に使用する伸縮式リード装置に関するものである。
【背景技術】
【０００２】
家庭等で飼育されているペット、例えば犬を散歩させる際には、犬の首輪に紐状体、いわゆるリードを接続する。
【０００３】
このリードとしては、単なる紐状体の構成のものの他、例えば特許文献１，２に示されるように、長尺紐状体を巻き取り方向にばねにより付勢した巻取リールをケースに設けると共に、巻取リールの回転を不能とする操作手段を設けて伸縮式としたリード装置が従来から提案されている。
【０００４】
このような伸縮式のリード装置では、巻取リールが回転可能な状態に操作手段を操作している場合には、犬によってリードが引っ張られると、リードはばねの付勢力に抗して巻取リールから繰り出されて、その長さが長くなり、また犬との距離が短くなると、ばねの付勢力によってリードが巻取リールに巻き取られて長さが短くなり、このようにリードの長さを自在に調節することができる。
【０００５】
一方、巻取リールが回転不能な状態に操作手段を操作している場合には、リードを介して犬に引っ張り力を加えることができ、こうして散歩中等の犬を確実にコントロールすることができる。
【０００６】
このような伸縮式のリード装置において、リードが長い状態で、その先端を犬の首輪から外して、操作手段を巻取リールが回転可能な状態に操作すると、ばねの付勢力により巻取リールが急速に回転してリードを巻き取るため、その先端に設けられていて、ある程度の重さの有る金属製の引掛金具が、リードと共に急速にケース側に移動してきて、操作者の手や顔等に当たって危険である。
【０００７】
このような危険性をなくすために、特許文献３では、巻取リールに増速機構を介して重り車を連結した構成が提案されており、この構成では、重り車の質量が増速機構を介して倍加して巻取リールの回転負荷として働くので、比較的小さい重り車によって、ばねの付勢力による巻取リールの回転速度を抑制するというものである。
【特許文献１】実公昭６２−４３９７４号公報
【特許文献２】特開２００３−３１９７２９号公報
【特許文献３】特開平４−３６０６３４号公報
【発明の開示】
【発明が解決しようとする課題】
【０００８】
巻取リールの回転に対する重り車の影響は、その慣性によって生じるため、巻取リールの回転に対する抗力は、回転数が上昇する方向にのみ生じる。しかしながら、重り車には巻取リールを介して常時ばねの付勢力が加わるため、当然、重り車の回転数は巻取リールと共に次第に上がってくる。こうして巻取リールの回転数が上昇した状態においては、重り車は、更に回転数が上昇する方向の抵抗として作用すると同時に、回転数を維持する方向にも作用するため、操作手段によって巻取リールの回転を止めようと操作した際に生じる衝撃が大きくなる。
【０００９】
このように重り車では、巻取リールの回転数の上昇は、時間的には遅らせることができるが、その上昇自体を抑制することはできない。
【００１０】
重り車の質量を大きくすることにより、実質的に巻取リールの回転数の上昇を抑制することもできるが、この場合には、リード装置の重量が大きくなってしまうと共に、操作手段によって巻取リールを回転可能に操作した際の抗力が大きくなるため、リードを巻き取ろうとした際の反応の遅さが顕著になり、使用感が非常に悪くなる。
本発明はこのような課題を解決することを目的とするものである。
【課題を解決するための手段】
【００１１】
上述した課題を解決するために本発明では、長尺紐状体を巻き取り方向にばねにより付勢した巻取リールをケースに設けると共に、巻取リールの回転を不能とする操作手段を設けたリード装置において、巻取リールに隣接して液体を充填した密閉容器を設けると共に、この密閉容器内に羽根車を回転可能に設置し、この羽根車を巻取リールに連動するように結合したペット用の伸縮式リード装置を提案する。
【００１２】
また本発明では、上記の構成において、密閉容器をケースの外側に構成すると共に、少なくとも一部を透明又は半透明に構成することを提案する。
【００１３】
また本発明では、上記の構成において、巻取リールと羽根車との結合を磁石を介して行う構成とすることを提案する。
【発明の効果】
【００１４】
本発明においては、ばねの付勢力によって巻取リールが回転すると、巻取リールに回転可能に結合した羽根車が連動して回転する。羽根車は液体を充填した密閉容器内で回転するので、羽根車は液体の抵抗を受け、従って羽根車と連動するように結合された巻取リールも回転に対して抵抗を受ける。
【００１５】
一般に、液体中を移動している物体に対する液体の抗力は、物体の速度の二乗に比例するので、液体を充填した密閉容器内の羽根車が受ける抗力は、その回転速度が速くなるほど大きくなる。従って、液体の密度、羽根車の形状、大きさ等の諸元を適宜に設定することにより、その回転速度、従って巻取リールの回転速度が、ある回転数よりも早く回転することを防止することができる。
【発明を実施するための最良の形態】
【００１６】
ここで、密閉容器をケースの外側に構成すると共に、少なくとも一部を透明又は半透明に構成すれば、巻取リールの回転に伴う羽根車の回転を外部から見ることができ、使用者の目を引くことができる。
【００１７】
また巻取リールと羽根車との結合を磁石を介して行う構成とすることにより、密閉容器の密閉性を容易に高めることができ、構造上も簡素になる。
【実施例１】
【００１８】
次に本発明の実施例を添付図面を参照して説明する。
図１は図２のＢ−Ｂ線の個所の断面、図２は図１のＡ−Ａ線の個所の断面を模式的に示すものであり、また図３は図２のＣ−Ｃ線の個所の断面を示すものである。
これらの図において、符号１はリード装置のケースであり、このケース１は、例えば２分割の殻体１ａ，１ｂを結合して構成することができる。
【００１９】
符号２はケース１に設けた回転軸３の回りにベアリング４を介して回転可能に支持した巻取リールであり、この巻取リール２は中心側と外周側との間に仕切壁５を設けており、外周側には帯状の長尺紐状体６を巻き付けており、この長尺紐状体６はケース１に設けた連通口７を通してケース１の外側に繰り出す構成としている。
【００２０】
一方、巻取リール２の中心側には渦巻きばね、この場合、ゼンマイばね８を設置している。このゼンマイばね８の端部は、夫々巻取リール２と回転軸３に固定しており、図１に示すように、巻取リール２が反時計回りに回転する場合、即ち、長尺紐状体６がケース１の連通口７から繰り出される場合に、巻き付けられてエネルギーが蓄えられる構成としている。
【００２１】
一方、巻取リール２には円周上に、複数の、図においては８個の係合突起部９を形成しており、それらの係合突起部９間の凹部１０内に先端部を突出して係合突起部９と当接させる操作片１１をケース１に、上記凹部１０方向に進退可能に設けている。この操作片１１は、詳細の図示を省略しているが、前進させて先端部を凹部１０内に位置させた状態と、凹部１０内から後退させて先端部を係合突起部９と当接しない位置に至らせた状態の、いずれにおいても保持可能な保持機構及び操作機構を備えている。このような構成は、上述した特許文献１，２及び３等にも記載されているように周知であるので、図示は省略している。
【００２２】
以上の構成において、この実施例では、図２、図３に示すように、ケース１の一端側に隣接して円筒形の密閉容器１２を設け、この密閉容器１２内には水、シリコーンオイル等の液体を充填すると共に、羽根車１３を回転可能に設けている。
【００２３】
そして羽根車１３には適数の第１の磁石１４を設けると共に、巻取リール２には、これらの磁石１４に対応する第２の磁石１５を設けている。更に、密閉容器１２の内周の適所には適数の突起１６を設けている。
【００２４】
以上の構成において、操作手段としての操作片１１を図１の状態ではなく、先端部を凹部１０内から後退させて、巻取リール２が回転可能な状態に保持されている場合には、犬等のペットによって長尺紐状体６が引っ張られると、この長尺紐状体６はゼンマイばね８の付勢力に抗して巻取リール２からケース１の連通口７を経て繰り出されて、その長さが長くなる。この動作においては、ゼンマイばね８は次第に巻き付けられてエネルギーが蓄積して行く。
【００２５】
上記と逆に犬との距離が短くなると、ゼンマイばね８の付勢力によって長尺紐状体６が巻取リール２に巻き取られて長さが短くなり、このようにリードの長さを自在に調節することができる。
【００２６】
一方、操作手段としての操作片１１を図１の状態で示すように、先端部を凹部１０内に前進させて、その状態で保持すると、ゼンマイばね８の付勢力により巻取リール２が図中反時計回りに回転しようとしても、係合突起部９が操作片１１の先端部に当接するため、巻取リール２は回転不能な状態に保持される。従ってこの状態においては、所定長さに維持された長尺紐状体６を介して犬に引っ張り力を加えることができ、こうして散歩中等の犬を確実にコントロールすることができる。
【００２７】
次いで、長尺紐状体６が長く維持されている状態で、その先端の引掛金具（図示省略）を犬の首輪から外して、上述したように操作手段としての操作片１１を巻取リール２が回転可能な状態に操作すると、ゼンマイばね８の付勢力により巻取リール２が図中時計回りに回転させられる。
【００２８】
こうして巻取リール２が回転すると、第１の磁石１４と第２の磁石１５の作用により羽根車１３が回転させられる。羽根車１３は液体を充填した密閉容器１２内で回転するので、羽根車１３は液体の抵抗を受け、従って羽根車１３と連動するように結合された巻取リール２も回転に対して抵抗を受ける。
【００２９】
一般に、液体中を移動している物体に対する液体の抗力は、物体の速度の二乗に比例するので、液体を充填した密閉容器１２内の羽根車１３が受ける抗力は、その回転速度が速くなるほど大きくなる。従って、液体の密度、羽根車１３の形状、大きさ等の諸元を適宜に設定することにより、その回転速度、従って巻取リール２の回転速度が、ある回転数よりも早く回転することを防止することができる。
【００３０】
図の実施例においては、密閉容器１２の内周の適所に適数の突起１６を設けているため、円筒形状の密閉容器１２においても十分な抗力を発生することができる。
【００３１】
従って、巻取リール２の急速な回転によって長尺紐状体６が急速に引っ張られて、その先端側に設けられている、重さの有る金属製の引掛金具が、長尺紐状体６と共に急速にケース１側に移動してきて、操作者の手や顔等に当たるということを効果的に防止することができる。
【００３２】
ここで密閉容器１２をケース１の外側に構成すると共に、少なくとも一部を透明又は半透明に構成すれば、巻取リール２の回転に伴う羽根車１３の回転を外部から見ることができ、使用者の目を引くことができる。
【００３３】
この際、液体や羽根車１３を鮮やかな色彩にすることにより、更に使用者等の目を引くことができる。
【産業上の利用可能性】
【００３４】
本発明は以上の通り、巻取リールが回転すると、それに連動して羽根車が回転して液体の抵抗を受け、この抗力は、その回転速度が速くなるほど大きくなるので、巻取リール２の回転速度が、ある回転数よりも早く回転することを防止することができ、従って、巻取リールの急速な回転によって長尺紐状体が急速に引っ張られて、その先端側に設けられている、重さの有る金属製の引掛金具が、長尺紐状体と共に急速にケース１側に移動してきて、操作者の手や顔等に当たるということを効果的に防止することができる。
【００３５】
そして本発明では、密閉容器をケースの外側に構成すると共に、少なくとも一部を透明又は半透明に構成することにより、巻取リールの回転に伴う羽根車の回転を外部から見ることができ、液体や羽根車を鮮やかな色彩にすること等により使用者の目を引くようにすることができ、付加価値が高く、産業上の利用可能性が非常に高い。
【図面の簡単な説明】
【００３６】
【図１】本発明に係るリード装置の実施例を示すもので、図２のＢ−Ｂ線模式的断面図である。
【図２】図１のＡ−Ａ線模式的断面図である。
【図３】図２のＣ−Ｃ線模式的断面図である。
【符号の説明】
【００３７】
１              ケース
１ａ，１ｂ    殻体
２              巻取リール
３              回転軸
４              ベアリング
５              仕切壁
６              長尺紐状体
７              連通口
８              ゼンマイばね
９              係合突起部
１０            凹部
１１            操作片
１２            密閉容器
１３            羽根車
１４            第１の磁石
１５            第２の磁石
１６            突起
【図１】
2006081403.tif 000003
【図２】
2006081403.tif 000004
【図３】
2006081403.tif 000005